(57)【特許請求の範囲】
【請求項１】
圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所に角度変更部材を取り付けて、形状を強制的に変えたことを特徴とするエアーテント。
【請求項２】
圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所にホース布やゴム材料を貼付けて伸縮率の差により形状を強制的に変えたことを特徴とするエアーテント。
【請求項３】
圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所の内側部に半円形や台形などの変則形の内張り用シート材を固定貼着して形状を強制的に変えたことを特徴とするエアーテント。
【請求項４】
前記環状ホースは、内面に気体密封処理を施した織布からなるホース、ゴムホース、合成樹脂製ホースからなることを特徴とする請求項１〜３のいずれか1項に記載のエアーテント。
【請求項５】
前記環状ホースの強度を補強するため、補強される前記環状ホースの内側に補強する環状ホースを固定貼着、又は補強される前記環状ホースの横側に補強する環状ホースを併設固定貼着したことを特徴とする請求項１〜４のいずれか1項に記載のエアーテント
【請求項６】
前記環状ホースの平行又は直交する部分を接合する方法は、紐結び、縫い付け、ファスナー、又は両面接着テープ、或いは接着剤からなることを特徴とする請求項１〜５のいずれか1項に記載のエアーテント。
【発明の詳細な説明】
【技術分野】
【０００１】
本発明は、環状ホースに圧縮流体を充填することにより形成される平面構造用材を複数本用いて、前記環状ホースが平行又は直交する部分を固着して立体空間を形成することを特徴とするエアーテントに関する。
【背景技術】
【０００２】
一般にエアーテントの構造は、柔軟な気密性の筒体からなる複数本の支柱と複数本の梁が組み合わされて骨組みを形成し、使用するときは前記筒体に圧縮空気を圧入して膨らませ、支柱及び梁を形成し、その外側にシート材を覆ってテントとしている。(例えば、特許文献１参照。)
また、室内の側面及び上面の骨組みをなす多数のエアーチューブと、該エアーチューブ間に張られた膜体と協働して室内スペースを画成するものもある。(例えば、特許文献２参照。)
【０００３】
図１０は、下記特許文献１に記載された多角形エアーハウスの斜視図で、１は中間にくの字状曲折部を有する縦気柱、２は横支柱部材(横気柱)、４は空気集中袋がエアーテントの大まかな構成であり、７の充(排)気バルブから空気が圧入される。
頂部に空気集中袋４を配置することで、他の各縦気柱に分配され、均一に膨張させることができ、気柱の不規則な曲がりによる天幕布や内布の破損などのトラブル、あるいは該曲がりを修正するための補助作業などを解消することができる。また、従来の半球ドーム状構造のエアーハウスに比べて、軽量化及びコンパクト化が可能である上、加工工数も少なく、かつ修理頻度も大幅に少なくなる。
【０００４】
図１１・図１２は、下記特許文献２に記載された膜構造物で、図１１は膜構造物の平面図、図１２は膜構造物の断面側面図である。
膜構造物１は骨組みをなす多数のエアーチューブ３と、前記各エアーチューブ３の間に張られた膜体５とで構成され、膜構造物１の内部に半円形状の室内スペース７が形成され、膜構造物１の上部には飾り９が取り付けられている。
前記エアーチューブ３は図１１に示すように、画成すべき室内スペース７の周囲に間隔を置いて配置され、画成すべき室内スペース７の側面及び上面の骨組みをなす円弧状チューブ３０１と、各円弧状チューブ３０１の上端を連結し画成すべき室内スペース７の上面中央の骨組みをなす環状チューブ３０３とで構成され、これら円弧状チューブ３０１と環状チューブ３０３により膜構造物１の骨組みの剛性が確保されている。
多数のエアーチューブにより室内スペースの側面及び上面の骨組みを構成するようにしたので、従来の膜構造物の如く気密性が要求されず、所望の箇所に通風窓や採光窓を設けることができ、また、出入口の構造や、膜体と地盤側との連結も簡単化でき、建て方、解体、運搬の点で有利で、更には、エアーチューブにエアーを供給するための構造の外観性を高める上で有利となる。
【先行技術文献】
【特許文献】
【０００５】
【特許文献１】特開２００３−６４９０６号公報（図１参照）
【特許文献２】実開平５−６７７７１号公報（図２、図３参照）
【発明の概要】
【発明が解決しようとする課題】
【０００６】
上記特許文献１の多角形エアーハウスによれば、ハウス形状をドーム状にするために
脚部固定して縦気柱をくの字としている。また、縦気柱１と横支柱部材(横気柱)２及び
空気集中袋４の交わる場所はチューブが縫合されており、空気漏れ等の不具合を起こさ
ないためにも圧入する空気圧を高くできず、このため一般的に気柱が太く、室内スペー
スを狭くしている。
【０００７】
また、上記特許文献２の膜構造物は、円弧状チューブ３０１と環状チューブ３０３により膜構造物１の骨組みの剛性が確保されているが、各円弧状チューブ３０１の下端は重り収容用容器１１に係止されることで骨組みの剛性が確保されており、重しをなくして構造体をなさない。  
また、前記特許文献２による膜構造物は、多数のエアーチューブにより側面及び上面
の骨組みを構成し、鋼性が確保されているとした記述、また、実施例において「例えば、環状チューブを省いたり、・・・」の記述から判断するに、環状チューブ３０３は気柱や梁の機能と同様の考えで、環状チューブに平面構造用材としての機能を有する考えの記述がなく、また、形状変更や強度補強を行うとする考えがないことは明白である。
【０００８】
そこで、本発明は、このような従来技術が潜在的に抱えている課題を解決するためになされたもので、本発明の目的は、気柱の強度を強くして支柱や梁のサイズを細くし、接続箇所の空気漏れ等の不具合を起こさないように支柱や梁の気室を直接連結しないで、また、直接連結せずとも構造物の強度を強く保つことのできるエアーテントを提供することにある。
【０００９】
本発明の他の目的は、プライバシーを保つためにエアーテント内に仕切りシートを設け易く、展張が早く、また、空気だけでなく水道でも展張が可能なエアーテントを提供することも可能になる。
【課題を解決するための手段】
【００１０】
上記目的を達成するために、本発明の第１の態様のエアーテントは、
圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所に角度変更部材を取り付けて、形状を強制的に変えたことを特徴とする。
本発明の第２の態様のエアーテントは、圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所にホース布やゴム材料を貼付けて伸縮率の差により形状を強制的に変えたことを特徴とする。
本発明の第３の態様のエアーテントは、圧縮流体を充填することにより外に張る力が働くことで平面強度の強い環状の構造用材となる環状ホースを複数本用いて、前記環状ホースが平行又は直交する部分を固着して立体空間を形成し、前記環状ホースの間隙を、膜体により閉塞又は被覆し、
前記環状ホースの形状を変える箇所の内側部に半円形や台形などの変則形の内張り用シート材を固定貼着して形状を強制的に変えたことを特徴とする。
【００１１】
また、第４の態様のエアーテントは、前記第１〜３のいずれかの態様のエアーテントにおいて、前記環状ホースは、内面に気体密封処理を施した織布からなるホース、ゴムホース、合成樹脂製ホースからなることを特徴とする。
【００１３】
また、第５の態様のエアーテントは、前記第１〜４のいずれかの態様のエアーテントにおいて、前記環状ホースの強度を補強するため、補強される前記環状ホースの内側に補強する環状ホースを固定貼着、又は、補強される前記環状ホースの横側に補強する環状ホースを併設固定貼着したことを特徴とする。
【００１４】
また、第６の態様のエアーテントは、前記第１〜５のいずれかの態様のエアーテントにおいて、前記環状ホースの平行又は直交する部分の接合方法は、プラスチック或いは金属製の専用接合部材、紐結び、縫い付け、ファスナー、又は両面接着テープ、或いは接着剤などからなることを特徴とする。
【００１６】
また、第7の態様のエアーテントは、前記第１〜６のいずれかの態様のエアーテントにおいて、前記環状ホースに圧縮流体の導入・抜取り装置が配設されていることを特徴とする。
【００１７】
また、第８の態様のエアーテントは、前記第１〜７のいずれかの態様のエアーテントにおいて、前記圧縮流体は、空気、又は炭酸ガス、或いは水からなることを特徴とする。
【発明の効果】
【００１８】
第1〜３の態様のエアーテントによれば、環状ホースに圧縮流体を充填することにより形成される平面構造用材を複数本用いて、前記環状ホースが平行又は直交する部分を固着して立体空間を形成するが、環状ホースは圧縮流体を充填することにより外に張る力が働き、同時に平面強度の強い環状の構造用材となる。また、形状変更の自由度も高く、細くて強く、更に、気室が環状ホースごとに独立していることで気室の直接の縫合がないため、接続箇所に不具合が生じにくく、取替えも簡単にできる。
【００１９】
また、第４の態様のエアーテントによれば、前記環状ホースは、内面に気体密封処理を施した織布からなるホース、ゴムホース、合成樹脂製ホースからなるので、その使用目的により圧入材、ホースの伸縮率、圧入する圧力に最適なものを選択できる。
【００２１】
また、第５の態様のエアーテントによれば、前記環状ホースの強度を補強するため、補強される前記環状ホースの内側に補強する環状ホースを固定貼着、又は、補強される前記環状ホースの横側に補強する環状ホースを併設固定貼着することで大型テントにも対応できる。
【００２２】
また、第６の態様のエアーテントによれば、前記環状ホースの平行又は直交する部分を接合する方法は、プラスチック或いは金属製の専用接合部材、紐結び、又は縫い付け、又はファスナー、又は両面接着テープ、或いは接着剤を使用し、エアーテントの大きさや使用目的により使い分けることができる。
【００２４】
また、第7の態様のエアーテントによれば、前記環状ホースへ圧縮流体の導入・抜取り装置が配設されているが、エアーテントの大きさや使用目的により圧縮空気ボンベで直入する方法や、水道の水圧が高いところでは水道に直結させて圧入する等の方法をとることもできる。
【００２５】
また、第８の態様のエアーテントによれば、前記圧縮流体は、空気、窒素ガス又は炭酸ガス、或いは水などがあり、例えば、テント重量が軽くて不安定のときは水道水を直接圧入するなど、使用目的等で使い分けをすることができる。
【図面の簡単な説明】
【００２６】
【図１】図１は環状ホースの形状の基本形と変形させた平面図である。
【図２】図２は環状ホースの角度を変更した事例の断面図である。
【図３】図３は環状ホースを展張した状態の平面図と、A−A’線で切断した断面図である。
【図４】図４は環状ホースを補強したときの平面図とB−B’線で切断した断面図である。
【図５】図５は実施形態１のエアーテントの概略斜視図と圧縮流体導入・抜取り装置の概略図である。
【図６】図６は実施形態１のエアーテントの平面図と、D−D’線で切断した断面側面図である。
【図７】図７は実施形態２のエアーテントの平面図と、E−E’線で切断した断面側面図である。
【図８】図８は実施形態３のエアーテントの概略斜視図である。
【図９】図９は実施形態３のエアーテントの展開図である。
【図１０】図１０は特許文献１の多角形エアーハウスの骨格構造例の斜視図である。
【図１１】図１１は特許文献２の膜構造物の平面図である。
【図１２】図１２は特許文献２の膜構造物の断面側面図である。
【発明を実施するための最良の形態】
【００２７】
以下、図面を参照して本発明の実施形態を説明する。但し、以下に示す実施形態は本発明の技術思想を具体化するためのエアーテントを例示するものであって、本発明をこれらに特定することを意図するものではなく、特許請求の範囲に含まれるその他の実施形態のものにも等しく適応し得るものである。
【００２８】
エアーテントを構成する環状ホース１０は、ループ状に形成された無端ホースで、該ホースの特徴としては、機械的には偏平、折畳み、巻回可能にできるように可撓性、弾性を有し、材質的には耐磨耗性、軽量、耐火性、耐圧性、高圧性、丈夫で破れ難く、軽量素材性のいずれか又は複数の特性を有し、しかも安価なものを使用する。
【００２９】
また、これらの環状ホース１０は、内面に気体密封処理を施した織布からなるホース、ゴムホース、合成樹脂製ホースからなる。例えば、消防ホース、特殊ポリエステル、ナイロン製ホースなどである。
【００３０】
図1は、エアーテントを構成する環状ホース１０の形状を図示したもので、図1(a)は基本形の円形を、図1(b)は環状の途中の一部を直線としたもの、図1(c)環状を長方形状に形状変更した事例を示している。
【００３１】
図２は、環状ホース１０の形状を変更するために、ホース途中の角度を強制的に変えた事例を図示したもので、図２(a)は、角度１００を変更する箇所に角度変更部材のエルボ１０１を組み入れることにより曲がり角度を固定した事例であり、図２(b)は、変更する箇所の曲げる側に環状ホース１０に同一素材１０２を貼付けてホースの伸び率を抑え、なだらかに湾曲させた事例である。
【００３２】
図３は、エアーテント１を構成する環状ホース１０の内側にシート材１５を貼着して環状ホース１０の形状変形を行った事例で、図３(a)は１枚のシート材を、図３(b)は環状ホースを包み込む方式で２枚のシート材を使用したもので、前記シート材は、特に引張強度に優れ、折畳み自在で可撓性がある材料のものを使用する。また、シート材１５は形状変形の目的以外にも、風雨避け、断熱や防音効果を高めるときにも使用する。
【００３３】
図４は、エアーテント１を構成する環状ホース１０の強度を補強するためのもので、図４(a)は補強される前記環状ホース１０の内壁に補強する環状ホース１１１を固定貼着したもの、図４(b)は補強される前記環状ホース１０の側壁に補強する環状ホース１１２を併設固定貼着した状態の平面図と断面図を示したものである。また、補強の環状ホース１１１・１１２の内側を出入り口として利用することもできる。
【００３４】
図５は、これまでに記述した環状ホース１０を用いて構成したエアーテントの実施形態１に係る概略斜視図で、図１(b)の形状変形した環状ホース４本を使用し、中央部を束ねて結束し、外側にシート材１５の覆いを架けたテントである。
【００３５】
また、エアーテントの実施形態１は、複数本の変形環状ホース１０で構成するので、障害物が衝突するなどで一部のホースが穿孔などで破裂しても簡単に取り替えができる。
【００３６】
更に、エアーテント１が折畳みに支障をきたさない程度であれば、環状ホースの一部を金属製又は硬質プラスチック製パイプ等に置き換えることで、より強度・安全を高めることができ、例えば、図５のように床又は地面と接地しており、且つ、直線のところなどに適用し易い。
【００３７】
また、前記環状ホース１０の間隙をシート材１５で閉塞又は被覆する。
前記シート材１５は、引張強度に優れ、折畳み自在で可撓性があり、防水性・耐火性・断熱・防音効果の高いものを使用目的により選択する。
【００３８】
また、前記実施形態１のエアーテントには、変形環状ホース１０に圧縮流体を充填する圧縮流体導入・抜取り装置２０が着脱自在な管継手２１と連結チューブ２２で連結されている。更にこの間には、図示を省略した流量計及び圧力計などが設けられており、これらを検視することにより、気体漏れのホースの検知が可能になる。また、圧縮流体の充填方法としては、圧縮流体導入・抜取り装置２０に代えて、例えばエアボンベなどで使用されている窒素ガスや炭酸ガス、又は水道圧を利用して水道水を直接圧入することもできる。
【００３９】
更にまた、圧縮流体の抜き取りは、圧縮流体の充填と逆の作動をするものとなっている。この圧縮流体導入・抜取り装置２０によって、環状ホース１０に充填された流体を抜取ると、エアーテント１の折畳みが可能になる。
これらはいずれも汎用品につき詳細な説明は省略する。
【００４０】
図６は、図５に概略斜視図を表記した本発明の実施形態１のエアーテントの平面図とD−D’線の断面側面図である。テント中央の結束された変形環状ホース１０に囲まれた部分が居住部Rを構成し、これに出入り口１７が設けられている。
【００４１】
前記中央部の変形環状ホース１０を接合する方法としては、プラスチック或いは金属製の専用接合部材、紐結び、縫いつけ、ファスナー、又は両面接着テープ、或いは接着剤などがある。
これらはいずれも汎用品につき詳細な説明は省略する。
【００４２】
また、実施形態１では４本の変形環状ホース１０を使用しているが、目的により使用本数を増やすことができ、例えば、図７の実施形態２では８本の変形環状ホース１０を使用し、居住部Rに仕切り膜１６を設け、出入り口１７を１ヶ所、居住部Rを７ヶ所に区分けし、内側からそれぞれに出入り口１７を設けている。一般的にテント内部に仕切り膜１６をしないのは、支柱や梁の配置や強度の問題があるからで、最近の地震避難施設や都会での帰宅難民対策で避難テントなどにプライバシーが求められ、仕切り膜１６は重要な要素となっている。
本事例では８本の変形環状ホース１０を使用しているが、必要に応じて使用本数を増やすことができる。
【００４３】
図８は、エアーテントの実施形態３に係る概略斜視図で、図１(C)の形状変形した環状ホースの平面構造用材４本を箱型に組み立てし、隣設する変形環状ホース１０を接合した一般的な形状のテントである。天井部にシート材１５を貼着しているが、それ以外は必要に応じて行う。
【００４４】
図９は、実施形態３の展開図である。保管するときは平面構造用材の変形環状ホース１０をそれぞれ個別に折畳んでおき、必用時に現地で個別に展張後、組み立てることもできる。
【符号の説明】
【００４５】
１：エアーテント(実施形態１)
２：エアーテント(実施形態２) 
３：エアーテント(実施形態３)
１０：環状ホース・変形環状ホース
１００：角度
１０１：エルボ
１０２：ホース布・ゴム等
１１１：補強用環状ホース(内壁貼り)
１１２：補強用環状ホース(側壁貼り)
１５：シート材
１６：仕切り膜
１７：出入り口
２０：圧縮流体導入・抜取り装置
２１：管継ぎ手
２２：連結チューブ
Ｒ：居住空間
【要約】      （修正有）【課題】任意のサイズにして簡単且つ安価に作製でき、展張の早いテントを提供する。【解決手段】環状ホース１０に圧力流体導入・抜取り装置２０から管継ぎ手２１及び連結チューブ２２を介して、圧縮流体を充填することにより形成される平面構造用材を複数本用いて、中央部を束ねて結束し、外側にシート材１５の覆いを架け、前記環状ホース１０が平行又は直交する部分を固着して立体空間を形成する構造を持つエアーテント１を構成する。【選択図】図５【図１】
0005116062.tif 000002
【図２】
0005116062.tif 000003
【図３】
0005116062.tif 000004
【図４】
0005116062.tif 000005
【図５】
0005116062.tif 000006
【図６】
0005116062.tif 000007
【図７】
0005116062.tif 000008
【図８】
0005116062.tif 000009
【図９】
0005116062.tif 000010
【図１０】
0005116062.tif 000011
【図１１】
0005116062.tif 000012
【図１２】
0005116062.tif 000013